【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
平面視用画像ファイル形式の画像ファイルを管理するサーバと、当該サーバを介して画像ファイルを送受信可能な複数の第１情報処理装置を含む情報処理システムであって、
前記第１情報処理装置のうちの少なくとも１つは、
多視点の画像を記録した多視点画像ファイル形式の画像ファイルのメタデータを平面視用画像ファイル形式の画像ファイルのメタデータに変更して前記サーバに送信する第１送信手段を備え、
前記第１情報処理装置のうちの少なくとも１つは、
前記サーバから受信した平面視用画像ファイル形式の画像ファイルに多視点の画像が記録されている場合、当該多視点の画像を用いて第１表示装置にマルチビュー表示させる第１表示制御手段を備える、情報処理システム。
【請求項２】
前記第１送信手段は、前記多視点画像ファイル形式の画像ファイルのメタデータのうち当該画像ファイルの拡張子を前記平面視用画像ファイル形式の拡張子に変更して当該画像ファイルを前記サーバに送信する、請求項１に記載の情報処理システム。
【請求項３】
前記多視点画像ファイル形式は、当該多視点画像ファイル形式の画像ファイルのメタデータを前記平面視用画像ファイル形式のメタデータに変更した場合に、前記多視点の画像のうちの１つの画像を平面視用画像として読み出すことが可能な形式である、請求項１または請求項２に記載の情報処理システム。
【請求項４】
前記多視点画像ファイル形式は、マルチピクチャーフォーマットであり、
前記平面視用画像ファイル形式は、ＪＰＥＧフォーマットである、請求項１から請求項３のいずれか１項に記載の情報処理システム。
【請求項５】
前記情報処理システムは、前記サーバを介して前記第１情報処理装置と画像ファイルを送受信可能な第２情報処理装置をさらに含み、
前記第２情報処理装置は、
前記サーバから受信した平面視用画像ファイル形式の画像ファイルに多視点の画像が記録されている場合であっても、当該多視点の画像のうちの１つの画像を用いて第２表示装置に平面視表示させる第２表示制御手段を備える、請求項１から請求項４のいずれか１項に記載の情報処理システム。
【請求項６】
前記第２情報処理装置は、
平面視用画像ファイル形式の画像ファイルを前記サーバに送信する第２送信手段をさらに備え、
前記サーバは、
前記第１情報処理装置の第１送信手段により送信された平面視用画像ファイル形式の画像ファイルと前記第２情報処理装置の第２送信手段により送信された平面視用画像ファイル形式の画像ファイルとを蓄積的に記憶する記憶手段と、
前記記憶手段に記憶されている画像ファイルを前記第１情報処理装置および前記第２情報処理装置に対して送信する第３送信手段とを備える、請求項５に記載の情報処理システム。
【請求項７】
前記第１情報処理装置は、
前記サーバから受信した平面視用画像ファイル形式の画像ファイルに多視点の画像が記録されている場合、当該画像ファイルのメタデータを前記多視点画像ファイル形式のメタデータに変更して保存する保存手段をさらに備える、請求項１から請求項６のいずれか１項に記載の情報処理システム。
【請求項８】
前記サーバは、
前記平面視用画像ファイル形式の画像ファイルにより示される画像に対して画像処理を行う画像処理手段をさらに有する、請求項１から請求項７までのいずれか１項に記載の情報処理システム。
【請求項９】
前記第１情報処理装置は、
複数の視点で撮影を行うことにより立体視用画像を取得可能な撮像手段をさらに有する、請求項１から請求項８までのいずれか１項に記載の情報処理システム。
【請求項１０】
前記撮像手段は、
単一の視点で撮影を行うことにより平面視用画像をも取得可能であり、
前記第１送信手段は、
前記撮像手段により取得された平面視画像を示す平面視用画像ファイル形式の画像ファイルを前記サーバに送信する、請求項９に記載の情報処理システム。
【請求項１１】
平面視用画像ファイル形式の画像ファイルを管理するサーバおよび当該サーバを介して画像ファイルを送受信可能な複数の第１情報処理装置の間で行われる情報処理方法であって、
前記第１情報処理装置のうちの少なくとも１つが、多視点の画像を記録した多視点画像ファイル形式の画像ファイルのメタデータを平面視用画像ファイル形式の画像ファイルのメタデータに変更して前記サーバに送信する第１送信ステップ、および
前記第１情報処理装置のうちの少なくとも１つが、前記サーバから受信した平面視用画像ファイル形式の画像ファイルに多視点の画像が記録されている場合、当該多視点の画像を用いて第１表示装置にマルチビュー表示させる第１表示制御ステップを含む、情報処理方法。
【請求項１２】
平面視用画像ファイル形式の画像ファイルを管理するサーバと、当該サーバを介して画像ファイルを送受信可能な複数の第１情報処理装置を含む情報処理システムに含まれるコンピュータで実行される情報処理プログラムであって、
前記プログラムは、
前記第１情報処理装置のコンピュータのうちの少なくとも１つを、
多視点の画像を記録した多視点画像ファイル形式の画像ファイルのメタデータを平面視用画像ファイル形式の画像ファイルのメタデータに変更して前記サーバに送信する第１送信手段として機能させ、
前記第１情報処理装置のコンピュータのうちの少なくとも１つを、
前記サーバから受信した平面視用画像ファイル形式の画像ファイルに多視点の画像が記録されている場合、当該多視点の画像を用いて第１表示装置にマルチビュー表示させる第１表示制御手段として機能させる、情報処理プログラム。
【請求項１３】
平面視用画像ファイル形式の画像ファイルを管理するサーバを介して他の情報処理装置と画像ファイルを送受信可能な情報処理装置であって、
多視点の画像を記録した多視点画像ファイル形式の画像ファイルのメタデータを平面視用画像ファイル形式の画像ファイルのメタデータに変更して前記サーバに送信する第１送信手段、
前記サーバから受信した平面視用画像ファイル形式の画像ファイルに多視点の画像が記録されている場合、当該多視点の画像を用いて第１表示装置にマルチビュー表示させる第１表示制御手段を備える、情報処理装置。
【請求項１４】
平面視用画像ファイル形式の画像ファイルを管理するサーバを介して他の情報処理装置と画像ファイルを送受信可能な情報処理装置で実行される情報処理方法あって、
多視点の画像を記録した多視点画像ファイル形式の画像ファイルのメタデータを平面視用画像ファイル形式の画像ファイルのメタデータに変更して前記サーバに送信する第１送信ステップ、
前記サーバから受信した平面視用画像ファイル形式の画像ファイルに多視点の画像が記録されている場合、当該多視点の画像を用いて第１表示装置にマルチビュー表示させる第１表示制御ステップを含む、情報処理方法。
【請求項１５】
平面視用画像ファイル形式の画像ファイルを管理するサーバを介して他の情報処理システムと画像ファイルを送受信可能な情報処理システムであって、
多視点の画像を記録した多視点画像ファイル形式の画像ファイルのメタデータを平面視用画像ファイル形式の画像ファイルのメタデータに変更して前記サーバに送信する第１送信手段、
前記サーバから受信した平面視用画像ファイル形式の画像ファイルに多視点の画像が記録されている場合、当該多視点の画像を用いて第１表示装置にマルチビュー表示させる第１表示制御手段を備える、情報処理システム。
【請求項１６】
平面視用画像ファイル形式の画像ファイルを管理するサーバを介して他の情報処理装置と画像ファイルを送受信可能な情報処理装置のコンピュータで実行される情報処理プログラムであって、
前記情報処理プログラムは、前記コンピュータを
多視点の画像を記録した多視点画像ファイル形式の画像ファイルのメタデータを平面視用画像ファイル形式の画像ファイルのメタデータに変更して前記サーバに送信する第１送信手段、および
前記サーバから受信した平面視用画像ファイル形式の画像ファイルに多視点の画像が記録されている場合、当該多視点の画像を用いて第１表示装置にマルチビュー表示させる第１表示制御手段として機能させる、情報処理プログラム。
【手続補正２】
【補正対象書類名】明細書
【補正対象項目名】０００９
【補正方法】変更
【補正の内容】
【０００９】
一実施形態において、上記第１送信手段は、上記多視点画像ファイル形式の画像ファイルのメタデータのうち当該画像ファイルの拡張子を上記平面視用画像ファイル形式の拡張子に変更して当該画像ファイルを上記サーバに送信してもよい。